(57)【特許請求の範囲】
【請求項１】
ケーシング内に、少なくともオゾンランプと、外部の空気を上記ケーシングの適所に設けた吸気孔よりケーシング内に吸引して上記ランプの周囲に循環した後吹出孔より噴出する循環ファンと、上記ケーシング内に循環された空気中のオゾン濃度を検出するオゾンセンサーとを配設すると共に、上記ケーシングの適所に人体の接近を検出すると上記オゾンランプを消灯する人センサーを配設したものにおいて、上記循環ファンやオゾンランプを制御する制御回路を設けると共に、この制御回路を、通電開始後所定時間の間は上記人センサーの出力を無効としてオゾンランプを点灯する様に構成した事を特徴とする脱臭殺菌装置。
【請求項２】
上記制御回路を、上記通電開始と略同時にオゾンランプと循環ファンを作動する様に構成すると共に、上記所定時間後に上記人センサーにより人体の接近を検出すると上記オゾンランプを消灯し、かつこの消灯から所定時間後に上記循環ファンを停止する様に構成した事を特徴とする、上記請求項１に記載の脱臭殺菌装置。
【請求項３】
上記制御回路を、上記通電開始後上記所定時間より所定時間経過後からオゾンセンサーの出力を検出する様に構成した事を特徴とする、上記請求項１又は２に記載の脱臭殺菌装置。
【請求項４】
上記ケーシングの適所に、少なくとも上記オゾンランプの点滅状態を表示するモニター用の表示ランプを装置した事を特徴とする、上記請求項１に記載の脱臭殺菌装置。
【発明の詳細な説明】
【０００１】
【産業上の利用分野】
本発明は、オゾンを発生するオゾンランプを用いて室内の空気等を脱臭・殺菌する脱臭殺菌装置に関する。
【０００２】
【従来の技術】
波長が約１８５ｎｍの紫外線を発生する水銀ランプにより構成したオゾンランプや、波長が約２５０ｎｍの紫外線を発生する水銀ランプにより構成した殺菌ランプを用いたり、これらの波長の紫外線を同時に放射する紫外線ランプを用いて、ホテル、旅館、病院等の比較的多数の人が出入りする場所の空気を脱臭・殺菌するものが、例えば特開昭６１−２４４３６７号公報や特開昭６１−２７９２４８号公報に示されている。
【０００３】
又、空気中のオゾン濃度が高いと頭痛等の人体に影響を及ぼすという問題があり、空気中のオゾン濃度をオゾンセンサーにより検出し、検出したオゾン濃度が予め設定した値よりも高くなるとオゾンランプを消灯してオゾンの発生を停止したり、人センサーを設けて人体の接近を検出するとオゾンランプを消灯してオゾンの発生を停止する様に構成したものもある。
【０００４】
【発明が解決しようとする課題】
一方、人センサーを設けて人体の接近を検出する様に構成した場合、通電して運転を開始した時には機器本体の周囲に人がいる場合が多く、通電を開始すると同時に人センサーの出力を有効としてオゾンランプを点灯しなければ、人センサーが正常に作動してオゾンランプを点灯しないのか、オゾンランプ等の故障によりオゾンランプが点灯しないのか判断できないという問題がある。
【０００５】
そこで本発明は、運転開始時に比較的簡単に人センサーやオゾンランプの故障チェックを行える様にする事を目的とするものである。
【０００６】
【課題を解決するための手段】
本発明は、ケーシング内に、少なくともオゾンランプと、外部の空気をケーシングの適所に設けた吸気孔よりケーシング内に吸引してランプの周囲に循環した後吹出孔より噴出する循環ファンと、ケーシング内に循環された空気中のオゾン濃度を検出するオゾンセンサーとを配設すると共に、ケーシングの適所に人体の接近を検出するとオゾンランプを消灯する人センサーを配設したものにおいて、循環ファンやオゾンランプを制御する制御回路を設けると共に、この制御回路を、通電開始後所定時間の間は人センサーの出力を無効としてオゾンランプを点灯する様に構成して成るものである。
【０００７】
又本発明は、制御回路を、通電開始と略同時にオゾンランプと循環ファンを作動する様に構成すると共に、所定時間後に人センサーにより人体の接近を検出するとオゾンランプを消灯し、かつこの消灯から所定時間後に循環ファンを停止する様に構成して成るものである。
【０００８】
更に本発明は、制御回路を、通電開始後所定時間より所定時間経過後からオゾンセンサーの出力を検出する様に構成して成るものである。
【０００９】
そして又本発明は、ケーシングの適所に、少なくともオゾンランプの点滅状態を表示するモニター用の表示ランプを装置して成るものである。
【００１０】
【作用】
電源スイッチのオン操作等により運転を開始すると、制御回路によりオゾンランプを点灯すると共に循環ファンを回転し、室内等の空気を吸気孔よりケーシング内に吸引してオゾンランプの周囲を循環し、オゾンランプから発生するオゾンにより脱臭・殺菌した後、吹出孔より放出する。
【００１１】
又制御回路により、上記運転開始後所定時間経過すると人センサーの出力により人体の接近を検出し、人体を検出すればオゾンランプを消灯してオゾンの発生を停止し、かつこの消灯後所定時間後に循環ファンを停止する。
【００１２】
これにより、オゾンランプの点灯によりオゾンランプが故障しているか否か確認できると共に、所定時間経過してオゾンランプが消灯すれば人センサーが正常に作動している事が簡単に確認出来、かつ循環ファンの停止によりケーシング内の比較的高濃度のオゾンを確実に外部に排出してオゾンセンサーへの影響を極力防止する事が出来る。
【００１３】
更に、上記人センサーの出力により人体の検出を開始後、オゾンセンサーの出力によるオゾン濃度の検出を開始することで、人センサーによりオゾンランプが消灯したのか、オゾンセンサーの出力によりオゾンランプが消灯したのかを簡単に判断する事が出来るものである。
【００１４】
そして又、ケーシングの適所にオゾンランプ等の作動状態を表示する表示ランプを装着することで、この表示ランプにより作動状態を簡単に確認する事が出来るものである。
【００１５】
【実施例】
本発明の実施例を先ず図１及び図２に基づき説明すると、１は脱臭殺菌器本体で、ケーシング２の前面上部には複数のスリット孔から成る吹出孔３を穿孔し、同じく前面左右には赤外線センサーや超音波センサーで構成した人センサー４、４を装着し、同じくこれら人センサーの間にはランプパネル５を装着し、同じく底面には複数のスリット孔から成る吸気孔６を穿孔していると共に、上記ケーシング２の内部には、上記吸気孔６と上記吹出孔３とを連通する凸状の通気路７を区画板８により区画形成している。
【００１６】
９は、上記通気路７の上記吸気孔６の上方に横置きにて配設したオゾンランプで、例えば１８４．９ｎｍの波長の紫外線を放射する石英ガラス製低圧水銀ランプにて構成している。
【００１７】
１０は上記通気路７の吹出孔３の内側に配設した循環ファンで、回転により室内等の空気を上記吸気孔６より通気路７内に吸引した後、オゾンランプ９の周囲を循環して吹出孔３より再び室内等に噴出する様に構成している。
【００１８】
１１は上記通気路７の吸気孔６とオゾンランプ９の間に位置して、このオゾンランプと略平行に通気路７内を仕切る様に配設した仕切板で、上記吸気孔６との対向面に例えば０〜０．１ｐｐｍの範囲のオゾン濃度を検出するオゾンセンサー１２を装着している。
【００１９】
１３、１４は上記ケーシング２と区画板８との間の空間に配設した制御用の回路基板で、図３にて示す様に商用電源１５に上記ケーシング２の側面に装着した電源スイッチ１６を介して所定の定電圧の直流電源に変換する電源回路１７を接続すると共に、この電源回路のダイオードブリッジ１８の出力にスイッチング用トランジスタ１９を介して上記循環ファン１０を接続し、かつ上記電源回路１７の定電圧出力にマイクロコンピュータにて構成した制御回路２０を接続している。
【００２０】
又上記制御回路２０の入力には、上記人センサー４、４及びオゾンセンサー１２の出力や、メンテスイッチ２１を接続していると共に、出力に上記ランプパネル５と回路基板１３の適所に配設した例えばＬＥＤにて構成した電源ランプ２２、２２と、オゾンセンサー用のセンサーランプ２３、２３と、オゾンランプ用のオゾン発生表示ランプ２４、２４や、上記トランジスタ１９及び上記商用電源１５とランプ点灯回路２５との間に接続したリレー接点２６を制御するリレー２７の駆動用トランジスタ２８を接続している。
【００２１】
上記ランプ点灯回路２５には通電検出用ダイオード２９を介して上記オゾンランプ９を接続し、かつ上記通電検出用ダイオード２９を構成する発光ダイオード３０には受光素子３１を対向し、この受光素子の出力を上記制御回路２０の入力に接続している。
【００２２】
尚上記通電検出用ダイオード２９は、上記ランプ点灯回路２５とオゾンランプ９とを接続する配線３２の通電を検出するもので、ランプ点灯回路２５の点灯処理時には上記配線３２に１５００〜１８００Ｖの交流電圧が印加されるが電流はほとんど流れず、点灯すると約２００Ｖで３０ｍＡ前後の電流が流れて上記発光ダイオード３０が点灯するので、これを受光素子３１の出力により検出するものである。
【００２３】
又上記制御回路２０は、図４のタイムチャートにて示す様に、上記電源スイッチ１６のオン操作等により運転を開始すると、この運転開始と略同時にリレー接点２６を閉じてオゾンランプ９を点灯すると共にトランジスタ１９をオンして循環ファン１０のファンモータに通電し、かつ電源ランプ２２、２２とオゾン発生表示ランプ２４、２４を点灯し、かつこの点灯から図中にＡにて示す所定時間（例えば４分間）は人センサー４、４の出力を無効としてオゾンランプ９や循環ファン１０を作動する。
【００２４】
そして上記所定時間後に人センサー４、４が人体を検出するとリレー接点２６をオフしてオゾンランプ９を消灯し、かつこの消灯後所定のファン停止遅延時間（例えば１分）経過後にオゾンセンサー１２の出力により空気中のオゾン濃度の測定を開始すると共に、上記オゾンランプ９の消灯後所定時間経過後（例えば２分）に循環ファン１０を停止する。
【００２５】
これにより上記運転を開始してから所定時間程度脱臭殺菌器本体１の近くにいれば、例えばオゾン発生表示ランプ２４、２４の点灯によりオゾンランプ９が正常に点灯した事を確認出来、センサーランプ２３の消灯から点灯への移行により人センサー４、４が正常に作動した事を確認出来ると共に、循環ファン１０の作動音からこの循環ファン等の作動も確認出来る。
【００２６】
尚上記実施例では、上記所定時間Ａ終了時に人センサー４、４により人体を検出してオゾンランプ９を停止した為、このオゾンランプを消灯してから図中にＢにて示す予め設定した所定時間（例えば５分）のオゾン発生停止時間が経過してからオゾンランプ９を点灯することで、例えば喫煙により煙草の煙等が発生していても、上記停止期間内にこれらが拡散されてケーシング内に吸引されない様に構成している。
【００２７】
一方上記所定時間後に人体を検出しない場合には、オゾンセンサー１２の出力が所定値（例えば０．０５ｐｐｍ）以上のオゾン濃度を検出しなければそのまま継続してオゾンランプ９を点灯する。
【００２８】
而して上記制御回路２０は、例えば図５のフローチャートに示す様に、Ｓ１にて電源スイッチ１５を投入するとＳ２にて上記表示用ランプ２１内の電源ランプ２２、２２を点灯後Ｓ３にて循環ファン１０のファンモータを回転し、Ｓ４にてオゾンランプ９を点灯すると同時にオゾン発生表示ランプ２４、２４を点灯する。
【００２９】
次いでＳ５にて上記所定時間Ａ経過したか判定し、経過すればＳ６に進んで人センサー４、４の出力により人体を検出し、人体を検出した場合には図６のＳ７に進んでオゾンランプ９と上記表示ランプ２４、２４を消灯した後、Ｓ８にてファン停止遅延時間を計測してからＳ９にて循環ファン１０を停止する。
【００３０】
その後Ｓ１０にて上記オゾン発生停止時間Ｂが経過したか判定し、経過すればＳ３に戻って上記のステップを繰り返す。
【００３１】
一方、上記Ｓ６にて人体を検出しない場合には、Ｓ１１に進んで運転開始後所定時間（例えば５分）経過したか判定し、経過すればＳ１２に進んでオゾンセンサー１２の出力を有効としてオゾン濃度を測定し、このオゾン濃度が所定値（例えば０．０５ｐｐｍ）以上であれば図７のＳ１３に進んでオゾンランプ９と表示ランプ２４、２４を消灯した後Ｓ１４にてオゾンセンサー１２の出力からオゾン濃度を測定し、オゾン濃度が低濃度に低下すると上記Ｓ４に戻って上記のステップを繰り返す。
【００３２】
又上記Ｓ１２にてオゾン濃度が所定値に達していなければ、Ｓ１５に進んでオゾンランプ９等を継続して作動して通常運転を行う。
【００３３】
尚上記オゾンランプ９の点灯時には、循環ファン１０により脱臭殺菌器本体１を収納した室内等の空気を吸気孔６よりケーシング２内の通気路７に吸引してオゾンランプ９の周囲を循環して脱臭・殺菌した後、吹出孔３より放出する。
【００３４】
【発明の効果】
本発明の構成により、運転開始と略同時にオゾンランプを点灯すると共に、この点灯から所定時間の間は人センサーの出力を無効とし、所定時間経過後に人センサーの出力により人体の接近を検出する様に構成したことで、運転開始後所定時間器具本体の近くにいれば、オゾンランプや人センサーが正常に作動しているか否か簡単に確認する事が出来るものである。
【００３５】
又本発明は、所定時間経過して人体の接近を検出してオゾンランプを消灯した場合には、この消灯後所定時間後に循環ファンを停止する様に構成したことで、器具本体内の比較的高濃度のオゾンを確実に器具外に排出してオゾンセンサーへの影響を防止出来ると同時に、オゾンランプの消灯を循環ファンの回転音からも容易に確認する事が出来るものである。
【００３６】
更に本発明は、運転開始後オゾンランプを強制的に点灯する所定時間から更に所定時間経過後にオゾンセンサーの出力を検出する様に構成したことで、オゾンセンサーの出力によりオゾンランプが消灯したのか、人センサーの出力によりオゾンランプが消灯したのか簡単に判断する事が出来るものである。
【００３７】
そして又本発明は、ケーシングの適所にオゾンランプ等の作動状態を表示する表示ランプを装着したことで、オゾンランプの作動状態を目視により簡単に確認する事が出来るものである。
【図面の簡単な説明】
【図１】本発明による実施例を示す斜視図である。
【図２】同じく正面縦断面図である。
【図３】同じく電気回路図である。
【図４】同じく動作説明用のタイムチャートである。
【図５】同じく動作説明用のフローチャートである。
【図６】同じく動作説明用のフローチャートである。
【図７】同じく動作説明用のフローチャートである。
【符号の説明】
２    ケーシング
３    吹出孔
４    人センサー
６    吸気孔
９    オゾンランプ
１０    循環ファン
１２    オゾンセンサー
２０    制御回路
２４    オゾン発生表示ランプ
【図１】
0003588157.tif 000002
【図２】
0003588157.tif 000003
【図３】
0003588157.tif 000004
【図４】
0003588157.tif 000005
【図５】
0003588157.tif 000006
【図６】
0003588157.tif 000007
【図７】
0003588157.tif 000008